【手続補正書】
【提出日】平成30年5月24日(2018.5.24)
【手続補正１】
【補正対象書類名】特許請求の範囲
【補正対象項目名】全文
【補正方法】変更
【補正の内容】
【特許請求の範囲】
【請求項１】
0.25以下の第1の分散度及び第1の中央直径によって特徴付けられる第1の粒径分布を有する、電気化学的に活性な材料の第1の複数の粒子；及び
0.25以下の第2の分散度及び第2の中央直径によって特徴付けられる第2の粒径分布を有し、該第2の中央直径が該第1の中央直径の最大でも3分の1以下である、イオン伝導性材料の第2の複数の粒子を含む、電気化学デバイスの固体電極であって、
10体積％未満の間隙率によって特徴付けられる、前記固体電極。
【請求項２】
前記電極の全粒子体積に対して20％未満の体積分率の第2の粒子を含む、請求項１記載の電極。
【請求項３】
前記イオン伝導性材料が、LiaXbPcSdOeを含み、式中、X=Si、Ge、Al、Sn、及びこれらの組み合わせであり、かつ5≦a≦15、0＜b≦3、1≦c≦4、6≦d≦18、及び0＜e≦5である、請求項１記載の電極。
【請求項４】
前記イオン伝導性材料が、Li2S-SiS2、Li2S-SiS2-LiI、Li2S-SiS2-Li3MO4、Li2S-SiS2-Li3MO3、Li2S-P2S5-LiI、及びLATSからなる群から選択される要素を含み、式中、Mが、Si、P、Ge、B、Al、Ga、及びInからなる群から選択される要素である、請求項１記載の電極。
【請求項５】
電子伝導性添加剤をさらに含み、該電子伝導性添加剤が、アセチレンブラック、カーボンブラック、活性炭、C65、C45、VGCF、炭素繊維、カーボンナノチューブ、ケッチェンブラック、又はこれらの組み合わせを含む、請求項１記載の電極。
【請求項６】
バインダー材料をさらに含み、該バインダー材料が、ゴム又はポリマーから選択される、請求項１記載の電極。
【請求項７】
浸透ネットワークをさらに含み、前記第2の複数の粒子の部分が、80％超の比率で該浸透ネットワークに寄与する、請求項１記載の電極。
【請求項８】
前記電極の全イオン伝導率が、バルクイオン伝導性材料の伝導率の1％よりも高い、請求項１記載の電極。
【請求項９】
前記第2の中央直径が、前記第1の中央直径の最大でも4分の1以下である、請求項１記載の電極。
【請求項１０】
請求項１記載の固体電極、固体電解質、及びリチウム金属アノードを含む、固体電池。
【請求項１１】
第1の中央粒径を有する第1の粒径分布によって特徴付けられる活性材料；
第2の中央粒径を有する第2の粒径分布によって特徴付けられるカソライト材料を含む、固体電気化学電極であって；
活性材料のカソライト材料に対する体積比が99：1〜1：1であり； 
該第1の中央粒径の該第2の中央粒径に対する粒径比が、少なくとも3：1以上であり；かつ
該電気化学電極が10体積％未満の間隙率を有する、前記固体電気化学電極。
【請求項１２】
前記第1の粒径分布が、0.25以下の分散度を有する、請求項１１記載の電極。
【請求項１３】
前記第2の粒径分布が、0.25以下の分散度を有する、請求項１１記載の電極。
【請求項１４】
電子伝導性添加剤をさらに含み、該電子伝導性添加剤が、アセチレンブラック、カーボンブラック、活性炭、C65、C45、VGCF、炭素繊維、カーボンナノチューブ、ケッチェンブラック、又はこれらの組み合わせを含む、請求項１１記載の電極。
【請求項１５】
バインダー材料をさらに含み、該バインダー材料が、ゴム又はポリマーから選択される、請求項１１記載の電極。
【請求項１６】
前記カソライト材料が、浸透ネットワークを形成する、請求項１１記載の電極。
【請求項１７】
前記電極中の前記カソライト材料の80％超が、前記浸透ネットワーク内で結合される、請求項１６記載の電極。
【請求項１８】
アノード電流コレクタ；
該アノード電流コレクタに直接接触しているアノード；
該アノードに直接接触している電解質であって、該アノードが、該アノード電流コレクタと該電解質との間に配置され、該電解質が、少なくとも1×10-4 S/cmのイオン伝導率によって特徴付けられる、該電解質；及び
該電解質と直接接触している固体正極であって、
第1の中央粒径を有する第1の粒径分布によって特徴付けられる活性材料；
第2の中央粒径を有する第2の粒径分布によって特徴付けられるカソライト材料を含み、
活性材料のカソライト材料に対する体積比が、99：1〜1：1であり；
該第1の中央粒径の該第2の中央粒径に対する粒径比が、少なくとも3：1以上であり；かつ
10体積％未満の間隙率を有する、該固体正極
を含む、電気化学セル。
【請求項１９】
前記第1の粒径分布が、0.25以下の分散度を有する、請求項１８記載のセル。
【請求項２０】
前記第2の粒径分布が、0.25以下の分散度を有する、請求項１８記載のセル。
【請求項２１】
前記カソライト材料が、浸透ネットワークを形成する、請求項１８記載のセル。
【請求項２２】
前記正極中の前記カソライト材料の80％超が、前記浸透ネットワーク内で結合される、請求項２１記載のセル。
【手続補正２】
【補正対象書類名】明細書
【補正対象項目名】００６８
【補正方法】変更
【補正の内容】
【００６８】
（II. サイズ）
一部の例では、様々な再充電可能な電池の正極の構成及びナノ構造が本明細書に記載される。これらの例の一部では、正極は、活性材料（層間化学（intercalation chemistry）カソード材料、変換化学カソード材料、又はこれらの組み合わせ）、該活性材料と共にすり潰され、粉砕され、かつ混合されるカソライト材料（小さいサイズのセラミック、酸化物、又は硫化物電解質材料）、並びに任意のバインダー及び電子伝導添加剤を含む。一部の例では、少なくともカソード活性材料及びカソライト材料は、大きいカソード活性材料の粒径の小さいカソライトの粒径に対する粒径（直径）比が少なくとも3：1以上になるように粉砕される。一部の例では、このサイズ比（大きい粒径：小さい粒径）は、少なくとも3：1、又は少なくとも3.5：1、又は少なくとも4：1、又は少なくとも4.5：1、又は少なくとも5：1、又は少なくとも5.5：1、又は少なくとも6：1、又は少なくとも6.5：1、又は少なくとも7：1、少なくとも7.5：1、又は少なくとも8：1、又は少なくとも8.5：1、又は少なくとも9：1、又は少なくとも9.5：1、又は少なくとも10：1、又は少なくとも10.5：1、又は少なくとも11：1、又は少なくとも11.5：1、又は少なくとも12：1、又は少なくとも12.5：1、又は少なくとも13：1、又は少なくとも13.5：1、又は少なくとも14：1、又は少なくとも14.5：1、又は少なくとも15：1、又は少なくとも15.5：1、又は少なくとも16：1、又は少なくとも16.5：1、又は少なくとも17：1、少なくとも17.5：1、又は少なくとも18：1、又は少なくとも18.5：1、又は少なくとも19：1、又は少なくとも19.5：1、又は少なくとも20：1、少なくとも20.5：1、又は少なくとも21：1、又は少なくとも21.5：1、又は少なくとも22：1、又は少なくとも22.5：1、又は少なくとも23：1、又は少なくとも23.5：1、又は少なくとも24：1、又は少なくとも24.5：1、又は少なくとも25：1、又は少なくとも25.5：1、又は少なくとも26：1、又は少なくとも26.5：1、又は少なくとも27：1、又は少なくとも27.5：1、又は少なくとも28：1、又は少なくとも28.5：1、又は少なくとも29：1、又は少なくとも29.5：1、又は少なくとも30：1である。一部の例では、このサイズ比（大きい粒径：小さい粒径）は、3：1、3.5：1、4：1、4.5：1、5：1、5.5：1、6：1、6.5：1、7：1、7.5：1、8：1、8.5：1、9：1、9.5：1、10：1、10.5：1、11：1、11.5：1、12：1、12.5：1、13：1、13.5：1、14：1、14.5：1、15：1、15.5：1、16：1、16.5：1、17：1、17.5：1、18：1、18.5：1、19：1、19.5：1、20：1、20.5：1、21：1、21.5：1、22：1、22.5：1、23：1、23.5：1、24：1、24.5：1、25：1、25.5：1、26：1、26.5：1、27：1、27.5：1、28：1、28.5：1、29：1、29.5：1、又は30：1である。一部の例では、カソード活性粒子は、大きい粒子である。これらの例の一部では、カソライト粒子は小さい粒子である。
【手続補正３】
【補正対象書類名】明細書
【補正対象項目名】０１３６
【補正方法】変更
【補正の内容】
【０１３６】
図21に示されているように、Al2O3粒子（2102）は、約250 nmの略粒径を有し、LSTPS粒子（2101）は、約250 nmの略粒径を有していた。図22に示されているように、Al2O3粒子（2202）とLSTPS粒子（2201）は、均質に混合されている。LSTPS粒子（2201）は、約5〜20 μmの小さい領域内でのみ互いにネック状になっていることが観察される。Al2O3粒子（2202）及びLSTPS粒子（2201）は、図18の場合と同程度の浸透ネットワークの形成を許容しない。